(57)【要約】【課題】延長管と接続したときに、延長管の係合部が邪魔にならず、脚の短い家具の下の被清掃面の奥まで届きやすく、使用者の手首に負担が掛かりにくい、使い勝手のよい電気掃除機の吸込具を提供することを目的とする。【解決手段】吸込具本体と、吸込具本体の下面側に設けられ、被清掃面上の塵埃を吸い込むための吸込口と、吸込口と連通する吸込室と、吸込具本体に回動自在に連結された継手管と、吸込室と継手管を連通する風路と、を備え、継手管は、継手管に設けられた回動軸部で吸込具本体と回動自在に連結され、回動軸部の回動軸の中心を、吸込具本体の下面からの高さが、吸込室の最上面よりも高い位置になるように配置した。【選択図】図９
2015216947.tif 000002
【特許請求の範囲】
【請求項１】
吸込具本体と、
該吸込具本体の下面側に設けられ、被清掃面上の塵埃を吸い込むための吸込口と、
該吸込口と連通する吸込室と、
前記吸込具本体に回動自在に連結された継手管と、
前記吸込室と前記継手管を連通する風路と、を備え、
前記継手管は、該継手管に設けられた回動軸部で前記吸込具本体と回動自在に連結され、前記回動軸部の回動軸の中心を、前記吸込具本体の下面からの高さが、前記吸込室の最上面よりも高い位置になるように配置したことを特徴とする電気掃除機の吸込具。
【請求項２】
前記回動軸部の回動軸の中心を、吸込具本体の前後方向である短手方向において、最短部の後端側の位置よりも前方寄りになるように配置したことを特徴とする請求項１に記載の電気掃除機の吸込具。
【請求項３】
前記吸込具本体の前後方向である短手方向において、最長部の後端側に回動自在の車輪を備え、前記車輪の回動軸の中心から前記吸込具本体の下面に向かって垂直に延ばした線よりも前方寄りを起点として、最長部の後端側に向かって傾斜する傾斜面を備えたことを特徴とする請求項１あるいは請求項２何れかに記載の電気掃除機の吸込具。
【請求項４】
前記吸込具本体の前後方向である短手方向において、最長部の後端側に回動自在の車輪を備え、前記車輪の回動軸の中心から前記吸込具本体の下面に向かって垂直に延ばした線よりも前方寄りで、且つ前記回動軸部の回動軸の中心から前記吸込具本体の下面に向かって垂直に延ばした線よりも後方寄りを起点として、前記吸込具本体の下面と所定の角度で交差する傾斜面を備えたことを特徴とする請求項１あるいは請求項２何れかに記載の電気掃除機の吸込具。
【請求項５】
塵埃を吸い込むための吸引風を発生させる電動送風機と、
前記塵埃を収容するための集塵部を設けた掃除機本体と、
前記掃除機本体に接続されたホース体と、
前記ホース体に連結された取り回しのための把持部と、
前記把持部近傍に設けられ、前記電動送風機の切入及び強弱を操作する操作部と、
前記把持部に接続された延長管と、を備え、
請求項１〜請求項４いずれか１項に記載の電気掃除機の吸込具を備えたことを特徴とする電気掃除機。
【発明の詳細な説明】
【技術分野】
【０００１】
本発明は電気掃除機の吸込具に関し、さらにはこの吸込具を備えた電気掃除機に関する。
【背景技術】
【０００２】
キャ二スタータイプの電気掃除機において、吸込具はホース体の延長管に接続されるものであり、延長管と接続するために吸込具に設けられた接続部は、吸込具の底面と接続部を水平にした場合の最下部がほぼ同じ高さとなっている（特許文献１及び特許文献２参照）。
【先行技術文献】
【特許文献】
【０００３】
【特許文献１】特開平０８−２１５１１８号公報（第３頁、図１）
【特許文献２】特開２００２−２０９８０７号公報（第３頁、図１）
【発明の概要】
【発明が解決しようとする課題】
【０００４】
吸込具が接続される延長管には、電気掃除機を収納するときにホース体が邪魔にならないよう、ホース体を電気掃除機本体に立てかけて固定するためのフック状の係合部が設けられていている。
【０００５】
フック状の係合部は、延長管と同様の硬質の樹脂材で形成されており、延長管より突出するように設けられている。電気掃除機は毎日のように使用されるので、その都度収納することになり、係合部は高い頻度で本体の受け部と係合するため、強度を考慮し大きくなっている。
【０００６】
そのため、特許文献１及び特許文献２に記載の従来の電気掃除機の吸込具のように、吸込具の底面と接続部を水平にした場合の最下部がほぼ同じ高さである場合、脚の短い家具の下の被清掃面を掃除するときに係合部が邪魔になって延長管が下げられず、吸込具が奥の方まで届かずに塵埃が残ってしまうという課題があった。
【０００７】
また、吸込具を奥の方まで届かすためには、係合部が邪魔にならないよう、係合部が横を向くように延長管をひねるようにしなければならず、使用者の手首に負担が掛かる、という課題があった。
【０００８】
本発明は、以上のような課題を解決するためになされたもので、延長管と接続したときに、延長管の係合部が邪魔にならず、脚の短い家具の下の被清掃面の奥まで届きやすく、使用者の手首に負担が掛かりにくい、使い勝手のよい電気掃除機の吸込具を提供することを目的とする。
【課題を解決するための手段】
【０００９】
課題を解決する本発明に係る電気掃除機の吸込具は、吸込具本体と、吸込具本体の下面側に設けられ、被清掃面上の塵埃を吸い込むための吸込口と、吸込口と連通する吸込室と、吸込具本体に回動自在に連結された継手管と、吸込室と継手管を連通する風路と、を備え、継手管は、継手管に設けられた回動軸部で吸込具本体と回動自在に連結され、回動軸部の回動軸の中心を、吸込具本体の下面からの高さが、吸込室の最上面よりも高い位置になるように配置したものである。
【発明の効果】
【００１０】
本発明に係る電気掃除機の吸込具によれば、電気掃除機のホース体の延長管と接続するための、吸込具本体と回動自在に連結された継手管に設けられた回動軸部の回動軸の中心を、吸込具本体の下面からの高さが、吸込室の最上面よりも高い位置になるように配置したので、延長管の係合部があっても、ホース体の延長管が被清掃面とほぼ平行になるまで下ろすことができ、脚の短い家具の下の、被清掃面の奥まで吸込具を入れることができるため、奥の方の塵埃を残すことなく吸引することができる。また、ホース体の延長管をひねることなく真っ直ぐに下ろすことができるので、使用者が扱い易く、手首に掛かる負担を軽減できる。
【図面の簡単な説明】
【００１１】
【図１】本発明の実施の形態１に係る電気掃除機の吸込具を電気掃除機に接続した状態を示す斜視図である。
【図２】電気掃除機本体を側面方向から見た断面図である。
【図３】（ａ）本発明の実施の形態１に係る電気掃除機の吸込具を上面方向から見た図、（ｂ）本発明の実施の形態１に係る電気掃除機の吸込具を下面方向から見た図である。
【図４】本発明の実施の形態１に係る電気掃除機の吸込具の斜視図である。
【図５】本発明の実施の形態１に係る電気掃除機の吸込具を、吸込具本体と継手管に分離した状態の斜視図である。
【図６】本発明の実施の形態１に係る電気掃除機の吸込具の、吸込具本体から上ケースを外した状態の斜視図である。
【図７】本発明の実施の形態１に係る電気掃除機の吸込具の、吸込具本体から上ケースを外して上面方向から見た図である。
【図８】本発明の実施の形態１に係る電気掃除機の吸込具の、吸込具本体に継手管を連結するためのカバーを外した状態の斜視図である。
【図９】図３（ａ）に示すＡ−Ａ断面を側面方向から見た断面図である。
【図１０】本発明の実施の形態１に係る電気掃除機の吸込具を延長管と接続し上面方向から見た図である。
【図１１】（ａ）本発明の実施の形態１に係る電気掃除機の吸込具を延長管と接続し側面方向から見た図、（ｂ）図１０に示すＢ−Ｂ断面を側面方向から見た断面図である。
【図１２】Ｂ−Ｂ断面の要部拡大図である。
【発明を実施するための形態】
【００１２】
実施の形態１．
（全体の構成）
図１は本発明の実施の形態１に係る電気掃除機の吸込具を電気掃除機に接続した状態を示す斜視図、図２は電気掃除機本体を側面方向から見た断面図である。図１と図２により、本発明の実施の形態１に係る電気掃除機の吸込具が接続される電気掃除機全体の概略構成を説明する。
【００１３】
図１に示すように、本発明の実施の形態１に係る電気掃除機の吸込具１は延長管２、把持部３、ホース体５を介して電気掃除機本体６と接続されていて、全体として電気掃除機１００が構成される。
【００１４】
電気掃除機本体６の前側には、ホース体５を接続するための接続口７が設けられている。ホース体５を接続口７に接続することで、ホース体５と延長管２及び把持部３を介して接続される吸込具１は、後述する電気掃除機本体６に内包された電動送風機９が発生させる吸引風により、塵埃を含んだ空気を吸い込むことが可能となる。
【００１５】
また、電気掃除機本体６の上面後方には、ハンドル８が設けられている。これは電気掃除機本体６を持ち運ぶときに使用するためのもので、樹脂素材で形成されている。また、電気掃除機本体６の上面には、前方から後方に傾斜するように集塵部９が着脱自在に取付けられている。
【００１６】
集塵部９は、図２に示す電気掃除機本体６に内包された電動送風機１０が、把持部３に設けられた操作部４からの入力で駆動することにより発生する吸引風によって、吸込具１から吸い込んだ塵埃を含んだ空気から、塵埃と空気を分離して塵埃を捕集、収容するためのものである。
【００１７】
さらに、電気掃除機本体６には電動送風機１０の他、操作部４からの入力で電動送風機１０の駆動、出力増減等を制御するための制御基板１１、電動送風機１０等に電力を供給する図示しない電源コードを収納するためのコードリールも内包される。
【００１８】
電気掃除機本体６の接続口７に一端が接続されるホース体５は、蛇腹のような可撓性を有する軟質管で形成されている。ホース体５のもう一端は、把持部３の一端に接続される。把持部３は吸込具１を操ることと、掃除機本体６の取り廻しをするためのものであり、硬質の樹脂素材で形成されている。
【００１９】
把持部３には前述のように操作部４が設けられている。操作部４は図示しない複数の操作スイッチを有し、これら操作スイッチからの入力を受けて制御基板１１が電動送風機１０を駆動させる。駆動した電動送風機１０が吸引風を発生させることにより、塵埃を含んだ空気を吸い込むことが可能となる。
【００２０】
把持部３のもう一端は、延長管２の一端に接続される。延長管２は図示しないが伸縮構造を有しており、掃除をするとき、必要に応じて伸ばして使用することができるようになっていて、把持部３と同様、硬質の樹脂素材で形成されている。
【００２１】
延長管２のもう一端は、吸込具１に接続される。以降、図３から図１２により本発明の実施の形態１に係る電気掃除機の吸込具の構成について詳しく説明する。
【００２２】
（吸込具の構成）
図３（ａ）は本発明の実施の形態１に係る電気掃除機の吸込具を上面方向から見た図、図３（ｂ）本発明の実施の形態１に係る電気掃除機の吸込具を下面方向から見た図、図４は本発明の実施の形態１に係る電気掃除機の吸込具の斜視図、図５は本発明の実施の形態１に係る電気掃除機の吸込具を、吸込具本体と継手管に分離した状態の斜視図、図６は本発明の実施の形態１に係る電気掃除機の吸込具の、吸込具本体から上ケースを外した状態の斜視図、図７は本発明の実施の形態１に係る電気掃除機の吸込具の、吸込具本体から上ケースを外して上面方向から見た図、図８は本発明の実施の形態１に係る電気掃除機の吸込具の、吸込具本体に継手管を連結するためのカバーを外した状態の斜視図、図９は図３（ａ）に示すＡ−Ａ断面を側面方向から見た断面図、図１０は本発明の実施の形態１に係る電気掃除機の吸込具を延長管と接続し上面方向から見た図、図１１（ａ）は本発明の実施の形態１に係る電気掃除機の吸込具を延長管と接続し側面方向から見た図、図１１（ｂ）は図１０に示すＢ−Ｂ断面を側面方向から見た断面図、図１２はＢ−Ｂ断面の要部拡大図である。
なお、それぞれの図において、同じ部分または相当する部分には同じ符号を付し、一部の説明を省略する場合がある。
【００２３】
吸込具１は図３〜５に示すように、吸込具本体２１と継手管２２で、アルファベットのＴの字の様に構成されている。吸込具本体２１は、硬質の樹脂素材で形成された下ケース３１、同様に硬質の樹脂素材で形成された上ケース３０、及び硬質の樹脂素材で形成されて意匠性を考慮した外観を有するカバー３２で外郭が構成される。上ケース３０とカバー３２が吸込具本体２１の上面を構成する部材となる。
【００２４】
下ケース３１と上ケース３０の当接部には、軟質の樹脂素材で形成されたダンパー２９がその外周に取付けられている。ダンパー２９は、掃除のときに吸込具１が壁や家具等に当たっても、それらが傷付かないようにするためのものである。
【００２５】
吸込具本体２１の下面側には、下面部開口２５が設けられている。下面部開口２５は、床等の被清掃面から塵埃を吸い込むための開口である。下面部開口２５の内部には下面部開口２５と連通した空間である吸込室３４があり、その吸込室３４には被清掃面から塵埃を掻き揚げるための回転ブラシ２６が着脱自在に取付けられている。
【００２６】
回転ブラシ２６は図６及び図７に示すように、吸込具本体２１の中央で且つ進行方向から見て後方に内包され、下ケース３１に配置されたモーター３７によって回転力を得ている。モーター３７の回転力は、まず、モーター３７の回転軸に圧入されたギアからベルト３８に伝達される。
【００２７】
ベルト３８に伝達されたモーター３７の回転力は、プーリー連結軸４０の一端に圧入されたプーリー４６に伝達され、さらにプーリー連結軸４０の他端に圧入されたプーリー４７に伝達される。
【００２８】
さらにプーリー４７に掛けられたベルト３９に伝達され、ベルト３９から回転ブラシ２６の一端に連結されたギア４８に伝達されて回転ブラシ２６が回転し、被清掃面から塵埃を掻き上げて、より清掃性能の向上が図れる。
【００２９】
吸込具本体２１の下面側には、吸込具本体２１の下面から出没自在のスイッチ２８が設けられている。このスイッチ２８は、回転ブラシ２６を回転させるモーター３７の回転をオン、オフするためのものである。
【００３０】
回転ブラシ２６は被清掃面から塵埃を掻き上げるので、被清掃面に接触していないときに回転させると無駄な電力を消費したり、使用者が触れて危険であったりする。よって、吸込具本体２１が被清掃面から離れるとスイッチ２８は下面から突出してモーター３７がオフし、回転ブラシ２６の回転を停止させ、再び、吸込具本体２１を被清掃面に接触させると、スイッチ２８が没してモーター３７がオンし、回転ブラシ２６の回転を開始するようになっている。
【００３１】
さらに、吸込具本体２１の下面後端側には、被清掃面をスムーズに移動できるように車輪２７ａ、２７ｂが設けられている。車輪２７ａ、２７ｂには横滑りさせる動きも想定して、適度な摺動性を持たせている。
【００３２】
前述のように、吸込具本体２１には各種部材が内包、または取付けられているが、それら部材の中でモーター３７が最も重量のある部材である。モーター３７は図７に示す吸込具本体２１の長手方向の中心を通る中心線で、左右に重量バランスがとれる位置に配置されているので、モーター３７の重心は中心線上になる。
なお、図７の中心線は、図３（ａ）に示すＡ−Ａ断面を切断する線と同じ線である。
【００３３】
前述のように、最も重量のあるモーター３７が吸込具本体２１の長手方向の中心を通る中心線で、左右に重量バランスがとれる位置に配置されているので、吸込具本体２１の長手方向左右のバランスもほぼ均衡するようになる。
【００３４】
また、モーター３７は吸込具本体２１の中心線上において、進行方向から見て後方に内包されているので、吸込具本体２１の重心も後方となる。
【００３５】
継手管２２は、硬質の樹脂素材で形成され中空構造の回動部２３と、延長管２に差し込んで接続する接続部２４で構成されている。回動部２３は、図示していないが接続部２４と回動可能に接続されている。
【００３６】
継手管２２の回動部２３には、図５に示すように回動軸部３３ａと３３ｂが設けられている。回動軸部３３ａと３３ｂは、継手管２２を吸込具本体２１に回動自在に連結するために設けられており、回動軸部３３ａが図５に示す吸込具本体２１の連通口３６ａと、回動軸部３３ｂが、連通口３６ａと対向する面に設けられた仮想線で表す連通口３６ｂと連結される。
【００３７】
回動軸部３３ａと３３ｂは、図８に示すように吸込具本体２１の上ケース３０に設けられた上ケース半円形状部４３ａと上ケース半円形状部４３ｂにそれぞれ収められ、ケース３２を取り付けることで、カバー３２に設けられたカバー半円形状部４２ａと、カバー半円形状部４２ａと対向する面に設けられた仮想線で表すカバー半円形状部４２ｂで挟まれて、回動自在に連結される。
【００３８】
なお、前述した連通口３６ａ及び３６ｂは、上ケース３０とカバー３２が取り付けられたときに、上ケース半円形状部４３ａとカバー半円形状部４２ａ、上ケース半円形状部４３ｂとカバー半円形状部４２ｂがそれぞれ組み合わされた状態を表している。
【００３９】
図９に示すように、継手管２２の回動部２３に設けられた回動軸部３３ａと図９では図示しない回動軸部３３ｂとの２者によって、吸込具本体２１は吸込具本体２１の中心線（図７参照）において、モーター３７よりも進行方向側、言い換えると前方で回動自在に連結されている。
【００４０】
次に図１０と図１１により、吸込具１を延長管２に接続した構成を説明する。図１０に示すように、吸込具本体２１と回動自在に連結された回動部２３に、さらに接続された継手管２２に設けられた接続部２４（図９参照）が延長管２に全て収容されるように挿入され、吸込具１が延長管２に接続される。
【００４１】
接続部２４には係止部２４ａ（図１１（ａ）参照）が設けられており、延長管２に設けられた結合解除ボタン２ｂと連動する係止片２ｃ（図１１（ａ）参照）が接続部２４の係止部に係りロックされるようになっている。結合解除ボタン２ｂは、ロックされる側に図示しない付勢手段で付勢されており、それにともない係止片２ｃもロックされる側に付勢されている。
【００４２】
吸込具１を延長管２から外すときには、付勢力に抗して結合解除ボタン２ｂを操作すると、その操作に連動して係止片が接続部２４の係止部から外れてロックが解除され、延長管２から接続部２４が抜けるようになる。
【００４３】
図１１（ａ）に示すように、延長管２を側面方向からみると、吸込具１と接続した状態で下方（被清掃面）側に突出するように、フック状の係合部２ａが設けられている。係合部２ａは電気掃除機１００を収納あるいは片付けるときに、ホース体５が邪魔にならないよう電気掃除機１００に設けられた図示しない係合受け部に係合させて、ホース体５立てかけるために使用される。
【００４４】
係合部２ａは、使用頻度に応じて、収納あるいは片付けのたびに係合受け部と係合することになるため、強度が必要となるので、それを考慮して強度を確保した大きさとなることから、それにともない延長管２から下方（被清掃面）側への突出量も大きくなっている。
【００４５】
図１１（ｂ）に示すように、回動部２３の回動軸部（３３ａ、３３ｂ）の軸中心は吸込具本体２１の下面２５ａから高さＨ２の位置になるように設定されている。これは、吸込具本体２１の下面２５ａから、塵埃を含んだ空気を吸い込むための吸込口である下面部開口２５に連通する吸込室３４の最上面までの高さＨ１よりも高い位置になっている。
【００４６】
このように、回動部２３の回動軸部（３３ａ、３３ｂ）の軸中心を高くすることで、延長管２を被清掃面とほぼ平行になるような低い高さに下ろしても係合部２ａが邪魔にならないので、脚の短い家具の下の被清掃面の奥の方まで吸込具１を入れることができるようになり、奥の方の塵埃を残すことなく吸引できるようになる。
【００４７】
また、回動部２３の回動軸部（３３ａ、３３ｂ）の軸中心を高くすることで、吸込室３４の後方側（延長管２との接続側）に空間が創出されるので、吸込室３４が狭くなることがなく余裕を持って吸込室３４を確保することができる。
【００４８】
さらに、創出された空間に回転ブラシ２６を駆動するためのモーター３７を配置することができるようになり、モーター３７が吸込具本体２１の左右方向である長手方向のほぼ中央に配置できるので、吸込具本体２１の長手方向左右のバランスもほぼ均衡して、使用者が扱い易くなる。
【００４９】
前述のように回動部２３の回動軸部（３３ａ、３３ｂ）の軸中心を高くしても、吸込具本体２１の前後方向である短手方向の後端側に設けてしまうと、被清掃面とほぼ平行になるような低い高さで延長管２を引いたときに、吸込具本体２１の前後方向のバランスが悪くなるため、回転ブラシ２６が取付けられている前方側が浮いてしまい、塵埃を含んだ空気を吸い込むための吸込口である下面部開口２５が被清掃面から離れ、吸引性能が著しく低下してしまう。
【００５０】
そのため、前後方向のバランスを考慮し、図１１（ａ）に示すように、回動部２３の回動軸部（３３ａ、３３ｂ）の軸中心は、吸込具本体２１の前後方向である短手方向の最短部の長さＷ２よりも、前方寄りとなる前方からＷ１の位置になるように設定されている。
【００５１】
回動部２３の回動軸部（３３ａ、３３ｂ）の軸中心を前方寄りに配置することで、被清掃面とほぼ平行になるような低い高さで延長管２を引いても吸込具本体２１の前方側が浮くことがなくなり、脚の短い家具の下の被清掃面の奥の方の塵埃を残すことなく吸引できるようになる。
【００５２】
図１２はＢ−Ｂ断面の要部拡大図であり、吸込具本体２１の前後方向である短手方向の最長部の後端側５０周辺を示している。吸込具本体２１の短手方向の最長部の後端側５０には車輪２７ａ、２７ｂ（図１２では図示せず）が設けられている。
【００５３】
車輪２７ａ、２７ｂは、図１０に示すように後端側５０の両側に、所定の幅でそれぞれ対称に配置されていて、継手管２２の回動部２３の回動軸部（３３ａ、３３ｂ）の軸中心が高くなっても吸込具１がバランスよく走行できるようになっている。
【００５４】
吸込具本体２１の下面２５ａは、傾斜の起点Ｃから後端側５０に向けて、所定の角度Ｄで傾斜している。角度Ｄは鋭角であることが望ましく、例えば４５度程度であることが望ましい。
【００５５】
傾斜の起点Ｃは車輪（２７ａ、２７ｂ）の回動軸中心から垂直に下ろした線よりも前方寄りで、回動軸部（３３ａ、３３ｂ）の軸中心から垂直に下ろした線よりも後方寄りであることが望ましい。
【００５６】
これは、回動軸部（３３ａ、３３ｂ）の軸中心から垂直に下ろした線よりも前方寄りから傾斜が始まると、吸込室３４の後方側に創出された空間が狭くなってモーター３７等の収容が困難になり、吸込具１のバランスのよい部品配置ができなくなるからである。
【００５７】
下面２５ａが後端側５０へ傾斜していない場合、吸込具本体２１と回動自在に連結された継手管２２に設けられた回動軸部（３３ａ、３３ｂ）の回動軸の中心を、吸込具本体２１の下面２５ａからの高さが、吸込室３４の最上面よりも高い位置になるように配置した構成であると、被清掃面の段差、例えばカーペットの端部とフローリングの段差のような箇所で延長管２を引いて車輪（２７ａ、２７ｂ）がその段差を乗り越えるときに、吸込具１の後端側５０の下部が段差に引っ掛かり易い。
【００５８】
そこからさらに延長管２を引くと、そこを起点に吸込具１の回転ブラシ２６が取付けられている前方側が浮いてしまうため、塵埃を含んだ空気を吸い込むための吸込口である下面部開口２５が被清掃面から離れ、吸引性能が著しく低下してしまう。
【００５９】
そのため、下面２５ａを後端側５０へ傾斜させることで、段差の箇所で延長管２を引いて車輪（２７ａ、２７ｂ）がその段差を乗り越えるときに、吸込具１の後端側５０の下部がその傾斜によって下面２５ａよりも高い位置になるので、段差に引っ掛かることがなくなり、吸込具１の前方側が浮くことがないので、吸引性能が低下することなく掃除が続けられるようになる。
【００６０】
以上のように本発明の実施の形態１に係る電気掃除機の吸込具によれば、電気掃除機のホース体の延長管と接続するための、吸込具本体と回動自在に連結された継手管に設けられた回動軸部の回動軸の中心を、吸込具本体の下面からの高さが、吸込室の最上面よりも高い位置になるように配置したので、延長管の係合部があっても、ホース体の延長管が被清掃面とほぼ平行になるまで下ろすことができ、脚の短い家具の下の、被清掃面の奥まで吸込具を入れることができるため、奥の方の塵埃を残すことなく吸引することができる。
【００６１】
また、ホース体の延長管をひねることなく真っ直ぐに下ろすことができるので、使用者が扱い易く、手首に掛かる負担を軽減できる。
【００６２】
それから、車輪の回動軸中心から垂直に下ろした線よりも前方寄りで、回動軸部の軸中心から垂直に下ろした線よりも後方寄りを起点として、吸込具本体の下面を後端側に向けて傾斜するようにしたので、吸込具本体の後端側下部が被清掃面の段差に引っ掛からず、吸込具の前方側が浮くことを抑制でき、吸引性能が低下することなく掃除が続けられるようになる。
【符号の説明】
【００６３】
Ｃ  傾斜の起点、Ｄ  角度、Ｈ１  高さ、Ｈ２  高さ、Ｗ１  幅、Ｗ２  幅、１  吸込具、２  延長管、２ａ  係合部、２ｂ  結合解除ボタン、３  把持部、４  操作部、５  ホース体、６  電気掃除機本体、７  接続口、８  ハンドル、９  集塵部、１０  電動送風機、１１  制御基板、２１  吸込具本体、２２  継手管、２３  回動部、２４  接続部、２４ａ  係止部、２５  下面部開口、２５ａ  下面、２６  回転ブラシ、２７ａ  車輪、２７ｂ  車輪、２８  スイッチ、２９  ダンパー、３０  上ケース、３１  下ケース、３２  カバー、３３ａ  回動軸部、３３ｂ  回動軸部、３４  吸込室、３５ａ  回動軸部通気口、３５ｂ  回動軸部通気口、３６ａ  連通口、３６ｂ  連通口、３７  モーター、３８  ベルト、３９  ベルト、４０  プーリー連結軸、４１ａ  通風口、４１ｂ  通風口、４２ａ  カバー半円形状部、４２ｂ  カバー半円形状部、４３ａ  上ケース半円形状部、４３ｂ  上ケース半円形状部、４４  回動部、４５  ギア、４６  プーリー、４７  プーリー、４８  ギア、５０  後端側、１００  電気掃除機。
【図１】
2015216947.tif 000003
【図２】
2015216947.tif 000004
【図３】
2015216947.tif 000005
【図４】
2015216947.tif 000006
【図５】
2015216947.tif 000007
【図６】
2015216947.tif 000008
【図７】
2015216947.tif 000009
【図８】
2015216947.tif 000010
【図９】
2015216947.tif 000011
【図１０】
2015216947.tif 000012
【図１１】
2015216947.tif 000013
【図１２】
2015216947.tif 000014